(57)【要約】【課題】使用上の煩わしさをなくした保護シートを提供する。【解決手段】保護材６の片面に磁性体である金網７を付設した保護シート１により、磁性体を有する物品を梱包する際に、金網７または梱包される物品に係る磁性体の少なくとも一方の有する磁力により、梱包される物品に保護シート１を吸着させる。【選択図】　　　　図１
2004043006.tif 000002
【特許請求の範囲】
【請求項１】
磁性体を設けたことを特徴とする保護シート。
【請求項２】
少なくとも一部に磁性体を有する物品を覆う保護シートであって、
前記保護シートには磁性体が設けられ、
前記保護シートに係る磁性体または前記物品に係る磁性体の少なくとも一方が磁化されて有する磁力により、前記物品に吸着することを特徴とする保護シート。
【請求項３】
請求項１または２に記載の保護シートにおいて、
前記保護シートに設けられた磁性体は前記保護シートの略一面に設けられた金網であることを特徴とする保護シート。
【請求項４】
請求項１または２に記載の保護シートにおいて、
前記保護シートの略一面に均等な間隔をもって設けられた複数の磁性体を有することを特徴とする保護シート。
【請求項５】
請求項１ないし４のいずれかに記載の保護シートにおいて、前記保護シートに設けられた磁性体は前記保護シートの内部に存在することを特徴とする保護シート。
【発明の詳細な説明】
【０００１】
【発明の属する技術分野】
本発明は、物品を梱包、被覆などする保護シートに関し、例えば磁石、その応用製品及び金属製品等の産業製品を保護するシートである。
【０００２】
【従来の技術】
保護シートは、例えば様々な産業製品について梱包や単に覆い被せる等の使用方法により、搬送の際の製品梱包や屋外保管の際の雨水回避等に使用され、多種多様な製品を保護するために用いられている。
【０００３】
このような一般的なビニール製等の保護シートは、安価であり汎用性に優れている。このため従来、磁性製品等を梱包等する際にも、汎用的なビニールシートが用いられていた。
【０００４】
【発明が解決しようとする課題】
しかしながら、従来の一般的な保護シートは、その汎用性ゆえに、磁性製品等を保護するシートとしては必ずしも適当ではなかった。このため下記課題につき、需要者から更なる改良が求められていた。
【０００５】
すなわち、従来の保護シートを用いた梱包では、製品から保護シートがずれてしまわないようにテープ等で製品と保護シートとを貼り付けたり、梱包した上からロープで縛る必要がある。このため、梱包や搬送作業上、取り扱いに煩わしさがあった。
【０００６】
また、段ボールによる梱包も行われているが、この場合にも必要とする形状に加工しにくいといった問題点があった。
【０００７】
本発明は上記状況に鑑みてなされたものであり、磁性製品等を梱包する際の使用上の煩わしさをなくした保護シートを提供することを目的とする。
【０００８】
【課題を解決するための手段】
上記課題を解決する第１の発明に係る保護シートは、物品を梱包、被覆などする保護シートにおいて、磁性体を設けたことを特徴とする。
【０００９】
磁性体を利用して、梱包等される物品と保護シートとを磁力で密着させることにより、テープやロープによる固定作業を省略して、梱包等の作業上の煩雑さをなくす。
【００１０】
上記課題を解決する第２の発明に係る保護シートは、少なくとも一部に磁性体を有する物品を覆う保護シートにおいて、前記保護シートに磁性体が設けられ、前記保護シートに係る磁性体または前記物品に係る磁性体の少なくとも一方が磁化されて有する磁力により、前記物品に吸着することを特徴とする。
【００１１】
磁性体を利用して、梱包等される物品と保護シートとを磁力で密着させることにより、テープやロープによる固定作業を省略して、梱包等の作業上の煩雑さをなくす。前記物品は一部に磁性体を有するのみならず、例えば鉄製品、磁石など磁性体そのものであってもよい。
【００１２】
物品に係る磁性体が磁化されて磁力を有している場合には、保護シートに設けられた磁性体は磁力を有していても磁力を有していなくともどちらでもよい。また、保護シートに設けられた磁性体が磁化されて磁力を有している場合には、梱包される物品に係る磁性体は磁力を有していても磁力を有していなくともどちらでもよい。
【００１３】
上記課題を解決する第３の発明に係る保護シートは、第１または第２の発明に係る保護シートにおいて、前記保護シートに設けられた磁性体が前記保護シートの略一面に設けられた金網であることを特徴とする。
【００１４】
磁性体を利用して、梱包等される物品と保護シートとを磁力で密着させることにより、梱包等の作業上の煩雑さをなくす。また、金網の変形を利用して、梱包される物品の形状に合わせて梱包形状を自由に調整可能とする。更に、金網の有する外部からの物理的な力に対する保護機能を利用して、物品の損傷を防止する。
【００１５】
上記課題を解決する第４の発明に係る保護シートは、第１または第２の発明に係る保護シートにおいて、前記保護シートに設けられた磁性体が前記保護シートの略一面に均等な間隔をもって設けられた複数の磁性体であることを特徴とする。
【００１６】
磁性体を利用して、梱包等される物品と保護シートとを磁力で密着させることにより、梱包等の作業上の煩雑さをなくす。また、保護シートの切断を容易にして、梱包する物品に合わせて自由に分割可能とする。
【００１７】
上記課題を解決する第５の発明に係る保護シートは、第１ないし第４のいずれかの発明に係る保護シートにおいて、前記保護シートに設けられた磁性体が前記保護シートの内部に存在することを特徴とする。
【００１８】
磁性体を利用して、梱包等される物品と保護シートとを磁力で密着させることにより、梱包等の作業上の煩雑さをなくす。また、磁性体を保護シートの内部に設けることにより、磁性体と梱包される物品との接触による相互の損傷を防止する。
【００１９】
【発明の実施の形態】
以下、本発明に係る実施例を図面に基づき詳細に説明する。
【００２０】
図１は、本発明の実施例１に係る保護シートの概略外観図（ａ）と保護シートを構成する各部品の構成図（ｂ）である。同図に示すように、保護シート１は、保護材６と金網７とからなり、保護材６の片面に金網７が固定されたシートである。
【００２１】
保護材６の材質としては、一般的な保護シートに使用される材料であればどのようなものでもよく、例えばビニール、ゴム、樹脂、繊維織物、紙等を用いることができる。金網７の材質としては、磁性体、すなわち磁場のなかに置くと磁化する物質で作製され、例えば磁性体としては鉄、ニッケル、コバルト及びこれらの合金等を例示することができる。また、金網７は磁性体といえども、未だ磁化されておらず、磁力を有していない。
【００２２】
金網７の構造としては、網目の大きさや網を構成する針金の太さ等は自由であるが、物品の梱包に使用できるようにある程度の柔軟性が必要である。
【００２３】
保護シート１を用いて、物品を梱包する際には、基本的には金網７が付設された面を物品側として梱包する。逆に使用しても、使用は可能であるが、屋外等の風雨に暴露される場所で使用するときには、金網７の劣化を防ぐため、前者の使用方法が好ましい。
【００２４】
本実施例に係る保護シート１の効果を有効に利用するためには、梱包される物品は少なくとも磁性体であるか、又は一部に磁性体を有する物品である必要がある。また、梱包される物品に係る磁性体は磁化されて磁力を有している必要がある。例えば、磁石自体または磁石を一部に有する製品等が挙げられる。
【００２５】
本実施例に係る保護シート１を使用することにより、以下の効果を得ることができる。
【００２６】
梱包される物品の磁力により金網７が張り付くため、保護シート１をテープやロープ等により物品に固定化しなくともずれることがなく、梱包状態が解けることがなくなる。
【００２７】
梱包される物品の形状に合わせて金網７が変形するため、梱包形状を自由に調整することができる。また、金網７の強度によっては、外部からの物理的な力に対する保護機能を有するため、搬送中の物品の損傷を抑制することができる。
【００２８】
従来のビニールシート等により梱包する場合と比較して、梱包される物品と保護シート１とが磁力により密着するため、例えば乾燥剤と共に梱包する場合など、乾燥剤の量を節約することができる。
【００２９】
なお本実施例の応用例として、金網７が既に磁化され磁力を有しているものであってもよい。この場合には、梱包される物品が磁力を有する場合はもちろんのこと、磁力を有しない、例えば鉄塊等の製品の場合であっても、実施例１と同様の効果を得ることができる。
【００３０】
すなわち、梱包される物品に係る磁性体もしくは金網７の少なくとも一方の磁性体が磁化されて磁力を有していればよい。
【００３１】
図２は、本発明の実施例２に係る保護シートの概略外観図（ａ）と保護シートを構成する各部品の構成図（ｂ）である。同図に示すように、保護シート２は、２枚の保護材６と金網７とからなり、２枚の保護材６の間に金網７が挟み込まれて、保護材の内部に金網７を設けたタイプの保護シートである。
【００３２】
保護材６の材質としては、一般的な保護シートに使用される材料であればどのようなものでもよく、例えばビニール、ゴム、樹脂、繊維織物、紙等を用いることができる。金網７の材質としては、磁性体、すなわち磁場のなかに置くと磁化する物質で作製され、例えば磁性体としては鉄、ニッケル、コバルト及びこれらの合金等を例示することができる。また、金網７は磁性体といえども、未だ磁化されておらず、磁力を有していない。
【００３３】
金網７の構造としては、網目の大きさや網を構成する針金の太さ等は自由であるが、物品の梱包に使用できるようにある程度の柔軟性が必要である。
【００３４】
本実施例に係る保護シート２の効果を有効に利用するためには、梱包される物品は少なくとも磁性体であるか、又は一部に磁性体を有する物品である必要がある。また、梱包される物品に係る磁性体は磁化されて磁力を有している必要がある。例えば、磁石自体または磁石を一部に有する物品等が挙げられる。
【００３５】
本実施例に係る保護シート２を使用することにより、実施例１に係る保護シート１（図１参照）と同様の効果を得ることができると共に、更に次の効果を得ることができる。
【００３６】
保護シート２を用いて物品を梱包する際には、金網７が露出する面がないため、実施例１のように使用に適切な面は特別になく、両面とも同様に使用することができる。また、梱包される物品と金網７との直接接触による相互の傷つき等のおそれをも防止することができる。
【００３７】
なお本実施例の応用例として、金網７が既に磁化され磁力を有しているものであってもよい。この場合には、梱包される物品が磁力を有する場合はもちろんのこと、磁力を有しない、例えば鉄塊等の製品の場合であっても、実施例２と同様の効果を得ることができる。
【００３８】
図３は、本発明の実施例３に係る保護シートの概略外観図である。同図に示すように、保護シート３は、保護材６と磁性体８とからなり、保護材６の片面に複数のタブレット状の磁性体８が固定されたシートである。
【００３９】
保護材６の材質としては、一般的な保護シートに使用される材料であればどのようなものでもよく、例えばビニール、ゴム、樹脂、繊維織物、紙等を用いることができる。磁性体８の材質としては、例えば鉄、ニッケル、コバルト及びこれらの合金等を例示することできる。また、磁性体８は未だ磁化されておらず、磁力を有していない。
【００４０】
磁性体８の大きさ、形状、配置方法等は自由であるが、磁性体８をランダムに配置するよりも均一間隔をもって配置した方が保護シート３を作製する際のコスト面において有利である。
【００４１】
保護シート３を用いて、物品を梱包する際には、基本的には磁性体８が付設された面を物品側として梱包する。逆に使用しても、使用は可能であるが、屋外等の風雨に暴露される場所で使用するときには、磁性体８の劣化を防ぐため、前者の使用方法が好ましい。
【００４２】
本実施例に係る保護シート３の効果を有効に利用するためには、梱包される物品は少なくとも磁性体であるか、又は一部に磁性体を有する物品である必要がある。また、梱包される物品に係る磁性体は磁化されて磁力を有している必要がある。例えば、磁石自体または磁石を一部に有する物品等が挙げられる。
【００４３】
本実施例に係る保護シート３を使用することにより、以下の効果を得ることができる。
【００４４】
梱包される物品の磁力により磁性体８が張り付くため、保護シート３をテープやロープ等により物品に固定化しなくともずれることがなく、梱包状態が解けることがなくなる。
【００４５】
保護材６を切断するだけで、保護シート３を自由な大きさに分割することができるため、梱包する物品に合わせた大きさにして使用することが可能である。
【００４６】
従来のビニールシート等により梱包する場合と比較して、梱包される物品と保護シート３とが磁力により密着するため、例えば乾燥剤と共に梱包する場合など、乾燥剤の量を節約することができる。
【００４７】
なお本実施例の応用例として、磁性体８が既に磁化され磁力を有しているものであってもよい。この場合には、梱包される物品が磁力を有する場合はもちろんのこと、磁力を有しない、例えば鉄塊等の製品の場合であっても、実施例３と同様の効果を得ることができる。
【００４８】
すなわち、梱包される物品に係る磁性体もしくは磁性体８の少なくとも一方の磁性体が磁化されて磁力を有していればよい。
【００４９】
図４は、本発明の実施例４に係る保護シートの概略外観図（ａ）と保護シートを構成する各部品の構成図（ｂ）である。同図に示すように、保護シート４は、２枚の保護材６と複数のタブレット状の磁性体８とからなり、２枚の保護材６の間に複数の磁性体８が挟み込まれて、保護材の内部に磁性体８を設けたタイプの保護シートである。
【００５０】
保護材６の材質としては、一般的な保護シートに使用される材料であればどのようなものでもよく、例えばビニール、ゴム、樹脂、繊維織物、紙等を用いることができる。磁性体８の材質としては、例えば鉄、ニッケル、コバルト及びこれらの合金等を例示することができる。また、磁性体８は未だ磁化されておらず、磁力を有していない。
【００５１】
磁性体８の大きさ、形状、配置方法等は自由であるが、磁性体８をランダムに配置するよりも均一間隔をもって配置した方が保護シート４を作製する際のコスト面において有利である。
【００５２】
本実施例に係る保護シート４の効果を有効に利用するためには、梱包される物品は少なくとも磁性体であるか、又は一部に磁性体を有する物品である必要がある。また、梱包される物品に係る磁性体は磁化されて磁力を有している必要がある。例えば、磁石自体または磁石を一部に有する物品等が挙げられる。
【００５３】
本実施例に係る保護シート４を使用することにより、実施例３に係る保護シート３（図３参照）と同様の効果を得ることができると共に、更に次の効果を得ることができる。
【００５４】
保護シート４を用いて物品を梱包する際には、磁性体８が露出する面がないため、実施例３のように使用に適切な面は特別になく、両面とも同様に使用することができる。また、梱包される物品と磁性体８との直接接触による相互の傷つき等のおそれをも防止することができる。
【００５５】
なお本実施例の応用例として、磁性体８が既に磁化され磁力を有しているものであってもよい。この場合には、梱包される物品が磁力を有する場合はもちろんのこと、磁力を有しない、例えば鉄塊等の製品の場合であっても、実施例４と同様の効果を得ることができる。
【００５６】
【発明の効果】
第１または第２の発明に係る保護シートによれば、磁性体を利用して、梱包等される物品と保護シートとを磁力で密着させることにより、テープやロープによる固定作業を省略して、梱包等の作業上の煩雑さをなくすことができる。
【００５７】
第３の発明に係る保護シートによれば、前記効果に加えて、更に次の効果を得ることができる。すなわち、梱包される物品の形状に合わせて金網が変形するため、梱包形状を自由に調整することができる。また、金網が外部からの物理的な力に対する保護機能を有するため、梱包する物品の損傷を防止することができる。
【００５８】
第４の発明に係る保護シートによれば、前記第１または第２の発明の効果に加えて、更に次の効果を得ることができる。すなわち、保護シートを容易に切断することができるため、梱包する物品に合わせて自由に保護シートを分割することができる。
【００５９】
第５の発明に係る保護シートによれば、前記第１または第２の発明の効果に加えて、更に次の効果を得ることができる。すなわち、磁性体を保護シートの内部に設けることにより、磁性体と梱包される物品との接触による相互の損傷を防止することができる。
【図面の簡単な説明】
【図１】本発明の実施例１に係る保護シートの概略外観図（ａ）と保護シートを構成する各部品の構成図（ｂ）である。
【図２】本発明の実施例２に係る保護シートの概略外観図（ａ）と保護シートを構成する各部品の構成図（ｂ）である。
【図３】本発明の実施例３に係る保護シートの概略外観図である。
【図４】本発明の実施例４に係る保護シートの概略外観図（ａ）と保護シートを構成する各部品の構成図（ｂ）である。
【符号の説明】
１　保護シート
６　保護材
７　金網
８　磁性体
【図１】
2004043006.tif 000003
【図２】
2004043006.tif 000004
【図３】
2004043006.tif 000005
【図４】
2004043006.tif 000006